(57)【要約】【課題】  点検スイッチと外部配線が干渉せず、且つターミナルボックスの小型化が可能な流水検知装置の提供。【解決手段】  筒状の本体１と、本体１の内部に設置された逆止弁構造の弁体２と、弁体２の開放により信号を出力するスイッチ５９と、弁体２の開放動作をスイッチ５９に伝える伝達機構３と、伝達機構３とスイッチ５９が収容されたターミナルボックス５とを備えた流水検知装置であり、ターミナルボックス５は本体１に隣接して設置された筺体５１と蓋５２を有しており、ターミナルボックス５の内部には、外部機器と接続可能な端子台４１と、外部機器に対して信号の出力と遮断を切り替え可能な点検スイッチ４４が設置されており、点検スイッチ４４の操作部４５を筺体５１から露出して配置させた。【選択図】    図１
2018110710.tif 000002
【特許請求の範囲】
【請求項１】
筒状の本体と、
本体内部に設置された逆止弁構造の弁体と、
弁体の開放により信号を出力するスイッチと、
弁体の開放動作をスイッチに伝える伝達機構と、
伝達機構とスイッチが収容されたターミナルボックスとを備えた流水検知装置において、
ターミナルボックスは本体に隣接して設置された筺体と蓋を有しており、
ターミナルボックスの内部には、外部機器と接続可能な端子台と、外部機器に対して信号の出力と遮断を切り替え可能な点検スイッチが設置されており、
点検スイッチの操作部を筺体から露出して配置させたことを特徴とする流水検知装置。
【請求項２】
点検スイッチの操作部は、筺体の本体と対向する面に設置されている請求項１記載の流水検知装置。
【請求項３】
本体はカバーで塞がれた開口部を備えており、点検スイッチは開口部に対して上方に配置されている請求項１または請求項２記載の流水検知装置。
【請求項４】
ターミナルボックス内部には、一面側に点検スイッチが設置され反対面に端子台が設置された仕切板を有する請求項１〜請求項３何れか１項記載の流水検知装置。
【請求項５】
仕切板は点検スイッチと端子台が接続された電子基板である請求項１〜請求項４何れか１項記載の流水検知装置。
【請求項６】
蓋は筺体の縁に沿ってスライドさせて着脱可能である請求項１〜請求項５何れか１項記載の流水検知装置。
【請求項７】
端子台は、各住戸に設置された住宅情報盤と、複数の流水検知装置の信号を表示可能な受信機に接続されており、点検スイッチにより住宅情報盤への信号の出力と遮断を切り替え可能とした請求項１〜請求項６何れか１項記載の流水検知装置。
【発明の詳細な説明】
【技術分野】
【０００１】
本発明は、消火設備配管に設置される流水検知装置に関するものである。
【背景技術】
【０００２】
流水検知装置は、消火設備配管内部の流水を検知して信号を出力するものであり、流水検知装置の本体内部に設置された逆止弁構造の弁体の開放動作をリミットスイッチにより検出している。本体外部にはリミットスイッチを収容したターミナルボックスが設置されている。
【０００３】
図１１に示す共同住宅用の流水検知装置のターミナルボックスの内部にはリミットスイッチの他に、弁体の変位量をリミットスイッチに伝える伝達機構、弁体の開放からスイッチが信号を出力するまでの時間を遅延させる遅延機構、リミットスイッチと外部配線を接続するための端子台、等が設置されている。
【０００４】
ターミナルボックス８０の手前側には点検スイッチ８１が設置されている。点検スイッチ８１は配管内部への導水時や、機能点検の際に住宅情報盤への信号出力を停止するためのものである。上記のリミットスイッチや点検スイッチ８１は端子台８２の奥側の接続穴（図示しない）と配線によって接続されている。
【０００５】
端子台の手前側の接続穴８３は、住宅情報盤や受信機と接続された外部配線が接続される。外部配線はターミナルボックス８０の底面の穴８４を通って端子台８２に接続されるので、外部配線が点検スイッチと干渉しないように点検スイッチ８１と端子台８２は離間して配置されている。
【０００６】
図１１のターミナルボックスを備えた共同住宅用の流水検知装置は、設置スペースが狭いことから小型化が要求されている。しかしながら、各住戸に設置された住宅情報盤と、管理人室等に設置された受信機と接続するために端子台の接続穴が１０個以上設置されており、これがターミナルボックスを小型化することを困難にしていた。また、端子台よりも点検スイッチが手前に設置されているので、結線作業時に誤って点検スイッチに触ってしまいスイッチが切り替わってしまうおそれがある。
【先行技術文献】
【特許文献】
【０００７】
【特許文献１】特開２００９−２９７５８６号公報
【発明の概要】
【発明が解決しようとする課題】
【０００８】
本発明では、上記問題に鑑み、点検スイッチと外部配線が干渉せず、且つターミナルボックスの小型化が可能な流水検知装置を提供することを目的としている。
【課題を解決するための手段】
【０００９】
上記の目的を達成するために、本発明は以下の流水検知装置を提供する。
すなわち、筒状の本体と、本体内部に設置された逆止弁構造の弁体と、弁体の開放により信号を出力するスイッチと、弁体の開放動作をスイッチに伝える伝達機構と、伝達機構とスイッチが収容されたターミナルボックスとを備えた流水検知装置において、ターミナルボックスは本体に隣接して設置された筺体と蓋を有しており、ターミナルボックスの内部には、外部機器と接続可能な端子台と、外部機器に対して信号の出力と遮断を切り替え可能な点検スイッチが設置されており、点検スイッチの操作部を筺体から露出して配置させた。
【００１０】
これによれば、点検スイッチの操作部を筺体から露出させることで、外部配線を端子台に接続する際に、点検スイッチに誤って手や工具等が触れてスイッチを切り替えてしまうことが無くなる。さらに、蓋を筺体の縁に沿ってスライドさせて着脱させることができる。従来品においては点検スイッチの操作部は蓋から露出させていたので蓋の動作方向が制限されていたが、スイッチの操作部を筺体側にしたことで蓋の動作方向の自由度が増す。
【００１１】
一方、点検スイッチと端子台を仕切板で区切り、仕切板の一面側に点検スイッチを設置して、反対面に端子台を設置することもできる。さらに、仕切板の代わりに電子基板を用いて、端子台と点検スイッチを電子基板上に直接接続することで配線が無くなり、省スペース化、ターミナルボックスの小型化を図ることができる。
【００１２】
また、本体にはカバーで塞がれた開口部が備えられており、カバーを外して本体内部の弁体のメンテナンスを行うことができるが、点検スイッチを開口部に対して上方に配置させると、開口部から内部の残水が漏れ出した際に、点検スイッチに水がかかることを防止できる。
【００１３】
上記の流水検知装置に設置される端子台は、各住戸に設置された住宅情報盤と、複数の流水検知装置の信号を表示可能な受信機に接続されており、点検スイッチにより住宅情報盤への信号の出力と遮断を切り替え可能に構成した。これにより、流水検知装置の点検時において住戸内に点検による作動信号を出力させないように切り替えることができる。
【発明の効果】
【００１４】
上記のように本発明によれば、点検スイッチの操作部をターミナルボックスの筺体から露出して配置したことで、点検スイッチと外部配線が干渉せず、さらにターミナルボックスの小型化を図ることができる。
【図面の簡単な説明】
【００１５】
【図１】本発明の一実施形態による流水検知装置の斜視図。
【図２】図１の流水検知装置の正面図（蓋を外した状態）。
【図３】図１のターミナルボックスの内部構成を示す説明図。
【図４】図２のＸ−Ｘ断面図。
【図５】図１の流水検知装置の底面図。
【図６】図１の試験弁の断面図
【図７】ターミナルボックスの内部構成の詳細図。
【図８】弁体回動検出手段をターミナルボックスに取り付ける際の分解図。
【図９】一実施形態による信号出力停止手段の外観図。
【図１０】図７のＹ−Ｙ断面図（信号出力停止手段が装着された状態）。
【図１１】従来の流水検知装置のターミナルボックスの俯瞰図。
【発明を実施するための最良の形態】
【００１６】
図１から図５に示す流水検知装置は、本体１、弁体２、弁体回動検出手段３（伝達機構）、制御弁４、ターミナルボックス５から構成されている。
【００１７】
本体１は、筒状であり上下に配管と接続するためのフランジ６Ａ、６Ｂが形成されている。フランジ６Ａ、６Ｂは正面を除いた両側面と背面が直線上に欠如しており、フランジ側面に平面部が形成されている。これにより軽量化が図られ、さらにフランジ６Ａ，６Ｂの側面に平面が形成され該平面部分に後述する圧力計の接続口や、制御弁４の弁軸となるステム３１を突出させてハンドル３０を設けることができる。またフランジ６Ｂの正面と左側面の間には三角形状の段部６Ｃが設けられ、段部６Ｃ上の平面には刻印が打てるように構成されている。これにより刻印の打刻作業を効率的に行うことができる。
【００１８】
フランジ６Ａ、６Ｂにおいて、配管と接続する面のボルト穴６Ｅより内側には、段部６Ｄが形成されており該段部６Ｄのリング状平面が配管側のフランジと接触する部分となる。段部６Ｄを設けたことによって、配管側のフランジと接触する面のみを切削加工すればよく、加工面積が減り作業効率の向上が図られるものである。
【００１９】
また、フランジ６Ａ，６Ｂのボルト穴６Ｅを牝ネジとした場合、配管側のフランジ穴にボルトを通して流水検知装置のフランジ６Ａ，６Ｂの牝ネジ６Ｅに螺合させることで流水検知装置が配管と接続できる。従来のように配管側のフランジのボルト穴と流水検知装置のフランジのボルト穴にボルトを貫通させてナットで締結する場合と比較して、ナットが不要となりまたボルトの長さもナットと螺合する部分が不要となることから短縮できる。
【００２０】
本体１の内部は隔壁７によって一次側Ｉと二次側ＩＩに分けられている。本体１の二次側ＩＩにはメンテナンス用の開口８が形成されており、該開口８はカバー９によって閉塞されている。カバー９は複数本のボルト９Ａによって本体１に設置されているが、ボルト９Ａの位置は、図２に一点鎖線で示す本体１の中心軸よりも１０〜３０度傾いた位置に設けられている。
【００２１】
本構造とすることで上下のフランジ６Ａ、６Ｂの間の寸法が本体の中心軸上にボルトを設置した場合と比較して短縮することができるので軽量化が図れる。また、後述するターミナルボックス５の外部に露出した点検スイッチ４４を操作する際にボルト９Ａとの干渉を防ぐことができる。
【００２２】
本体１内部の隔壁７には一次側Ｉと二次側ＩＩとを連通する連通口が形成され、連通口上には円筒形状の弁座１０が設置されている。弁座１０の二次側ＩＩの面には円盤状の弁体２が設置される。弁体２は周縁の一部に円筒状の軸受け部１１が形成されており、該軸受け部１１にヒンジピン１２を挿通させて、弁体２が回動自在な構成となっている。
【００２３】
ヒンジピン１２は弁体２の回動と共に回る構造となっており、図示はしていないが軸受け部１１の端部に設けた溝に、ヒンジピン１２の一端に形成された突起が噛合う構造となっている。ヒンジピン１２の他端側は、本体１より外部に突出されており、ヒンジピン１２の他端にはカム１３が固定設置され、弁体回動検出手段３によって弁体２が開放した場合には信号が出力可能な構成となっている。
【００２４】
弁体回動検出手段３の構造に関する詳細な説明は、特開２００５−２９２１１３号に記載されているので説明は省略する。また、信号出力停止手段については後述する。
【００２５】
本体１の二次側ＩＩには、二次側ＩＩ内部の水を外部に排出可能であり、流水検知装置の二次側に設置されるスプリンクラーヘッドのノズル放水量と同等な放出量である試験弁１４が接続されている。試験弁１４は本体１の背面から水平に外部に延びた水路１５の末端に設けられている。水路１５の末端はエルボ状に流路が屈曲しており、牝ネジが螺刻され試験弁接続部１５Ａが形成されている。
【００２６】
水路１５は末端側に向かって下り勾配が付けられていることが好ましい。試験弁１４はアングル弁構造となっており、図１において試験弁接続部１５Ａとの接続部は水平であり、排水口１６は下方に向いていることから、従来のようにエルボ等の継手を介して排水口１６を下方に向ける手間を省くことができる。
【００２７】
水路１５は図５に示すように、流水検知装置の軸から少しずれた位置に突出して形成されている。位置をずらしたことで試験弁１４のハンドル位置が流水検知装置に近い位置となり、流水検知装置の設置スペース幅を抑えることができる。
【００２８】
試験弁１４は前述のようにアングル弁構造をしている。図６に示す試験弁は流水検知装置との接続部が牡ネジ１４Ａとなっており、牡ネジ１４Ａから９０°回転した位置に牝ネジが螺刻された排水口１６が設けられている。牡ネジ１４の内部には弁座１４Ｂが形成され、弁座１４Ｂ上に弁体１４Ｃ、軸１４Ｄ、ボンネット１４Ｅが同軸上に設けられている。
【００２９】
弁体１４Ｃの弁座面側には止水部材１４Ｆが組み込まれている。また弁座面と反対側は軸１４Ｄに螺合される柱部が形成されている。軸１４Ｄは棒状であり一端は前述の弁体１４Ｃの柱部が螺入される牝ネジ１４Ｇが形成されている。他端側はボンネット１４Ｅを貫き試験弁１４の外部に突出しており、端部にハンドルが固定設置されている。ボンネット１４Ｅは試験弁１４本体に螺合されており、着脱可能な構成となっている。
【００３０】
排水口１６の内部にはオリフィス１４Ｈが形成されている。該オリフィス１４Ｈによってスプリンクラーヘッドのノズルの放出量と同等な放出量が確保される。
【００３１】
制御弁４は本体１の一次側Ｉ内に設置される。一次側Ｉには通水路２１Ａが形成されたボール２１が収容される空間２２が形成されている。空間２２の弁体側には、ボール２１を受けるシートリング２３が設けられており、対向する一次側フランジ６Ａ側にも同様にシートリング２４が設置されている。シートリング２４は、リング状で外周面に牡ネジが螺刻されたシートキャップ２５の内周面側に形成された段部に２６に嵌め入れられており、シートキャップ２５の牡ネジは空間２２の下部内壁に形成された牝ネジ部２７と螺合されている。
【００３２】
空間２２の牝ネジ部２７には、図５に示すように切欠き２８が形成されており、一次側フランジ６側から空間２２に一次側配管内の水が空間２２へ連通可能な構造となっている。さらに空間２２には本体１のカバー９が設けられている正面へと通じる穴２９が穿設されており、穴２９には図示しない圧力計が接続され、一次側配管の圧力を計測することができる。
【００３３】
ボール２１は本体１の外部に設置されたハンドル３０によりボール２１を回転可能であり、図１に示すようにハンドル３０が立った状態にあるときはボール２１の通水路２１Ａによって一次側配管から弁体２の間が連通可能となり（図４の状態）、ハンドル３０がカバー９がある正面側に９０度回動され倒れた状態にあるときはボール２１は９０度回転して通水路２１Ａが空間２２の内壁側に位置する。空間２２内の水はシートリング２３により止水されるので一次側配管から弁体２の間は水が不通となる。
【００３４】
ハンドル３０とボール２１はステム３１によって接続されているが、ステム３１はフランジ６Ａの右側面から空間２２の間に肉盛りされた凸部３２を貫通して設置されている。
【００３５】
ターミナルボックス５は、筐体５１、蓋５２から構成される。蓋５２は１本のビス７２で筐体５１に固定されている。内部には複数の仕切りが形成されており、筐体５１内を区画割りしている。図３に筐体５１の内部構成を示す。図中、左側が流水検知装置の正面側であり、右側が背面側となる。筐体５１内は仕切り５３によって大きく２つの区画に分けられている。
【００３６】
仕切り５３より右側（流水検知装置の背面側）には、前述の弁体回動検出手段３が設置される。仕切り５３より左側（流水検知装置の正面側）には、建物内の複数の流水検知装置からの信号を図示しない管理室等に設置されている受信機等の監視装置に伝えるための信号線と、各住戸に設置された住宅情報盤へと続く信号線が接続される端子台４１が設けられている。
【００３７】
端子台４１は結線部の接続穴４２に信号線を差し込んで接続する構造のものが用いられている。これによって信号線を本体１の正面側から接続穴４２へ差し込むことができ、ターミナルボックス５の幅を短縮することができる。端子台４１は板状をした電子基板４３に設置されている。電子基板４３の端子台４１が設置された面の裏側には点検スイッチ４４が接続されている。点検スイッチ４４は前述の住宅情報盤への信号の出力と遮断を切り替えるものである。
【００３８】
点検スイッチ４４の操作部４５は、筺体５１の窓５１Ａから外部に露出するように設置されている。これにより点検スイッチ４４を、蓋５２を開けずに操作できる。また、点検スイッチ４４を電子基板４３に設置したことで端子台４１と接続するための配線を無くすことができる。配線が無くなったことで配線を収容していたスペースが不要となりターミナルボックス５を小型化することができる。
【００３９】
さらに電子基板４３によって端子台４１側から点検スイッチ４４が隠ぺいされるので、端子台４１へ外部配線を接続する際に点検スイッチ４４が作業の支障になることがなく、結線作業を効率的に行うことができる。外部配線は筺体５１の底面の穴４６を通過して端子台４１と接続される。
【００４０】
図１、図２において点検スイッチ４４の操作部４５は、筺体５１の本体１と対向する面に設置している。さらに操作部４５は、カバー９により塞がれている開口８に対して上方に設置されており、メンテナンス時にカバー９を取り外した際に本体１の内部の残水が操作部４５に及ばないように構成している。
【００４１】
弁体回動検出手段３と仕切り５３の間には、開口５６が設けられ、該開口５６からヒンジピン１２が筐体５１内に突出された状態となる。ヒンジピン１２の端には円盤を切り欠いた形状のカム１３が固定設置されている。
【００４２】
カム１３の円弧部１３Ａ付近には略く字型のレバー５７の一端が接触している。レバー５７は屈曲部付近で軸支されており回動可能な構成となっている。レバー５７の他端は、弁体回動検出手段３に含まれるリミットスイッチ押圧手段５８を係止している。
【００４３】
弁体回動検出手段３内には信号出力手段としてのリミットスイッチ５９が含まれており、該リミットスイッチ５９によって弁体が開放した際に信号を出力可能な構成となっている。具体的には、流水検知装置の弁体２が開放すると、弁体２とともに回動するヒンジピン１２の先端に固定設置されたカム１３も回動する。カム１３の回動によりカム１３の円弧部１３Ａがレバーに接触し、レバー５７は時計回りに回動してリミットスイッチ押圧手段５８の係止が解除される。
【００４４】
リミットスイッチ押圧手段５８はレバー５７の係止が解除されたことにより、リミットスイッチ５９の方向に移動してリミットスイッチ５９のボタンを押すことでリミットスイッチ５９から電気信号が送られるものである。
【００４５】
図８に示すようにリミットスイッチ押圧手段５８およびリミットスイッチ５９を含む弁体回動検出手段３はユニットとして筐体５１内に設置されるが、リミットスイッチ押圧手段５８およびリミットスイッチ５９等を筐体５１の所定位置に設置する支持板６０により弁体回動検出手段３が筐体に設置される。
【００４６】
支持板６０には筐体５１の台座に載置される複数の脚６１が支持板６０を屈曲させて設けられている。また、レバー５７の軸受け部や弁体回動検出手段３および支持板６０を筐体５１に設置するためのネジ孔等が設けられている。さらに、リミットスイッチ５９からの信号を外部に出力させない手段である信号出力停止手段６２を装着するためのガイド６３が形成されている。信号出力停止手段６２は、仕切り５３の下方の収容部６４に設置されており紛失を防止している。
【００４７】
ガイド６３は、支持板６０の脚６１を形成するために屈曲前の脚６１周辺を切り抜いて形成された開口部の縁に凹状の切欠きを形成したものである。尚、弁体回動検出手段３の表面にもガイド６３と同じ位置に開口が形成されており、リミットスイッチ５９の一部が露出している。該開口から信号出力停止手段６２がリミットスイッチ押圧手段５８とリミットスイッチ５９の間に装着できるようにしている。
【００４８】
ガイド６３に装着される信号出力停止手段６２は図９に示すように棒状であり、ガイド６３の奥に挿入される信号停止部６２Ａ、中間部に設けられた係止部６２Ｂ、信号出力停止手段６２を手で掴む把持部６２Ｃから構成される。信号停止部６２Ａの軸と把持部６２Ｃの軸は偏芯しており、係止部６２Ｂには段が形成されている。
【００４９】
信号停止部６２Ａの断面形状はガイド６３の切欠き形状と略同じ形をしており、ガイド６３に沿ってガイド６３の奥に挿入可能である。図１０に示すリミットスイッチ押圧手段５８は矢印方向に付勢されているが、レバー５７によって矢印方向への動きを阻止されている。信号停止部６２Ａをガイド６３の奥に挿入すると、信号停止部６２Ａはリミットスイッチ押圧手段５８とリミットスイッチ５９の間に介在され、レバー５７の係止が解除されてもリミットスイッチ押圧手段５８がリミットスイッチ５９側へ移動することを阻止する。
【００５０】
係止部６２Ｂの段は、信号停止部６２Ａをガイド６３の奥に挿入した状態で段がリミットスイッチ５９の表面に接触する。また把持部６２Ｃは信号出力停止手段６２がガイド６３に装着された状態で筐体５１の外部にはみ出る程の長さを有しており、この状態においては蓋５２を閉じられない構成になっている。
【００５１】
筐体５１は箱型で流水検知装置の正面側の面と右側面が開口となっている。対して蓋５２は前述の開口を塞ぐ略Ｌ字型に屈曲した板状となっている。筺体５１の縁には外部に拡張された段７１Ａを有しており、蓋５２の縁には筺体側５１に延出された拡張部７１Ｂを備えている。蓋５２を閉じたときに筺体５１の平面５１Ｂの段７１Ａに対して、蓋５２の拡張部７１Ｂの内面が重なり面接触する構造となっている。これにより筺体５１の内部に水が浸入しにくい構造としている。
【００５２】
蓋５２は筺体５１に対して着脱可能であり、図中において蓋５２を上下方向にスライド移動可能である。筺体５１の正面側にはビス７２とナット７３が設置されており、ビス７２とナット７３に対応する蓋５２の位置には溝７４が形成されている。溝７４はターミナルボックス５の底面側に伸びており、ビス７２の牡ネジ部分が溝７４の内部に収容可能である。
【００５３】
蓋５２を閉じた状態において、ビス７２はナット７３の側に締め込まれ、ビス７２の頭部が蓋５２を押圧保持する。蓋５２をあける際にはビス７２を緩めてビス７２の頭部と蓋５２が離れたら、蓋５２を図中上方に移動して筺体５１から蓋５２を取り外す。これにより、蓋５２の側面にスペースが無くても蓋５２を容易に着脱させることができる。
【００５４】
上記に説明した実施形態の変形例として以下の構成を示す。
【００５５】
図２において、電子基板４３の代わりに仕切板７５を設置して構成することも可能である。図中において仕切板７５の右側に端子台４１を設置し、仕切板７５の左側に仕切板７５から離間して点検スイッチ４４を設置する。点検スイッチ４４と端子台４１は従来のように配線で接続する構造であるが、仕切板７５により点検スイッチ４４が端子台４１側から隠れるので外部配線を端子台４１に接続する際に、点検スイッチ４４が妨げになることを防止できる。
【００５６】
さらに前述の実施形態では、点検スイッチ４４の操作部４５を筺体５１の本体１と対向する面に設置したが、これに限らず筺体５１の平面５１Ｂに設置することも可能である。
【符号の説明】
【００５７】
１  本体  
２  弁体  
３  弁体回動検出手段（伝達機構）  
４  制御弁  
５  ターミナルボックス  
６Ａ、６Ｂ  フランジ
９  カバー  
１２  ヒンジピン  
１３  カム  
１４  試験弁  
２１  ボール  
２２  空間  
２３、２４  シートリング  
２５  シートキャップ  
３０  ハンドル  
３１  ステム  
４１  端子台  
４３  電子基板  
４４  点検スイッチ  
４５  点検スイッチの操作部  
５１  ターミナルボックス筐体  
５２  ターミナルボックス蓋  
５８  リミットスイッチ押圧手段  
５９  リミットスイッチ  
６０  支持板  
６２  信号出力停止手段  
【図１】
2018110710.tif 000003
【図２】
2018110710.tif 000004
【図３】
2018110710.tif 000005
【図４】
2018110710.tif 000006
【図５】
2018110710.tif 000007
【図６】
2018110710.tif 000008
【図７】
2018110710.tif 000009
【図８】
2018110710.tif 000010
【図９】
2018110710.tif 000011
【図１０】
2018110710.tif 000012
【図１１】
2018110710.tif 000013